(57)【特許請求の範囲】
【請求項１】
第１捲縮糸と、前記第１捲縮糸よりも低い第２捲縮糸とが基布に混植され、前記第１捲縮糸および前記第２捲縮糸間に充填材が充填された砂入り人工芝生において、前記第１捲縮糸がモノフィラメントタイプであるとともに、前記第２捲縮糸がテープ形状のスプリットタイプであり、前記第１捲縮糸と前記第２捲縮糸との比率が２：８ないし８：２であることを特徴とする砂入り人工芝生。
【請求項２】
前記第１捲縮糸と前記第２捲縮糸とは互いに捲縮率および捲縮度のうちの少なくとも一方が異なることを特徴とする請求項１に記載した砂入り人工芝生。
【請求項３】
前記第２捲縮糸が前記充填材から突出することを特徴とする請求項１に記載した砂入り人工芝生。
【請求項４】
前記第１捲縮糸の直径が５０デニールないし１０００デニールであることを特徴とする請求項１に記載した砂入り人工芝生。
【請求項５】
前記第２捲縮糸の捲縮度が０．５山／２．５４ｃｍないし７山／２．５４ｃｍであることを特徴とする請求項１に記載した砂入り人工芝生。
【発明の詳細な説明】
【０００１】
【発明の属する技術分野】
本発明は砂入り人工芝生に係り、さらに詳しく言えば、良好な接地感および外観性を長期間維持できる砂入り人工芝生に関するものである。
【０００２】
【従来の技術】
近年、例えばテニスコート等を施工するにあたっては、導入コスト，維持コストが安価であるとともに、比較的天然芝生に近い外観性および接地感が得られる砂入り人工芝生が多用されている。
ここで、砂入り人工芝生とは、面状の基布に合成樹脂製のパイルが多数植設され、これらのパイル間に目砂等の充填材が充填されているものを指している。
このような砂入り人工芝生は、同一形態のパイルを均一、かつ、高密度に植設すると、観者に例えば頭髪用ブラシや歯ブラシ等を連想させ、芝面が実際以上に硬いという印象を与える。そして、このような印象を競技者に与えると、競技者が芝面の硬さを考慮して、例えば思い切ったスライディング等を行えなくなり、競技自体の性格が変わる虞れがある。
【０００３】
また、砂入り人工芝生は、競技用スパイク等により充填材が突き固められると、充填材間の空隙が減少して充填層が深層部から次第に固化し、施工当初に得られた良好な接地感が失われるため、様々な問題が生じる。
例えば、充填層が固化することにより、クッション性が低下して競技者の足腰へ大きな負担がかかるようになったり、あるいは競技者が躓き，転倒等を起こしやすくなる。また、充填層の固化は部分的に発生することが多いため、各種球技に用いられるボールのバウンド，転がり等が場所によって異なるという問題もある。
これらのことから、砂入り人工芝生には、天然芝生に近似し、観者に軟らかい印象を与える外観性と、施工当初に得られた良好な接地感とを長期間にわたって維持できることが強く求められている。
【０００４】
【発明が解決しようとする課題】
ところで、前述した要望を満たすために、例えばテープ状のパイルに多数の切り込み（スプリット加工）を施したスプリット糸を基布に植設した砂入り人工芝生（従来例１）や、互いに高さが異なる第１捲縮糸および第２捲縮糸を基布に混植した砂入り人工芝生（特開平３−１５６００１号公報参照：従来例２）が提案されている。
【０００５】
これらの従来例１および従来例２によれば、スプリット糸あるいは第１捲縮糸および第２捲縮糸が充填層内部において屈曲スプリング挙動することにより、充填層の固化を抑制し、これにより施工当初に得られた良好な接地感を長期間にわたって維持できるとされている。
そして、従来例２では、互いに高さが異なる第１捲縮糸および第２捲縮糸を基布に混植しているため、同一形態のパイルを均一に植設した砂入り人工芝生に比較して、一層天然芝生に近似した外観性が得られ、これにより観者に軟らかい印象を与えることができるとされている。
【０００６】
しかしながら、これらのような従来例１および従来例２によっても、競技用スパイク等により充填材が突き固められると、充填層内部においてスプリット糸あるいは第１捲縮糸および第２捲縮糸が屈曲スプリング挙動するための空隙がなくなり、所望の効果が得られなくなるという問題があった。
この問題は、砂入り人工芝生を採用したテニスコート以外にも、砂入り人工芝生を採用したゲートボールコート，サッカーグラウンド，ラグビーグラウンド等にも生じている。
本発明は、このような従来の問題を解決するためになされたもので、その目的は、観者に軟らかい印象を与える天然芝生に近似した外観性と、施工当初に得られた良好な接地感とを長期間にわたって維持できる砂入り人工芝生を提供することにある。
【０００７】
【課題を解決するための手段】
本発明は、テープ形状でスプリットタイプのパイルに捲縮加工を施した捲縮糸の特性に本発明者等が着目して案出したものである。
すなわち、テープ形状でスプリットタイプの捲縮糸は、切り込み（スプリット）に挟まれた部分が円弧面状の突出部となるため、砂入り人工芝生に採用すると、突出部が充填層内部において充填材が侵入しにくい微細な空隙を形成し、かつ、空隙内部に入り込んだ充填材を屈曲スプリング挙動に伴って外部に排出する。
【０００８】
そして、本発明者等は、このようなテープ形状でスプリットタイプ捲縮糸とモノフィラメントタイプの捲縮糸とを基布に対して混植させれば、従来に比較して、一層天然芝生に近似し、観者に軟らかい印象を与える外観性が得られるとともに、この外観性と施工当初に得られた良好な接地感とを長期間にわたって維持できると予測し、各捲縮糸の高さ（長さ），混植比率，捲縮率（最大長／自然長），捲縮度（山数／２．５４ｃｍ）等が異なる砂入り人工芝生を試験的に多数施工して逐一接地感の変化，外観性の変化および耐久性を測定，調査した。
その結果、本発明者等は、モノフィラメントタイプの捲縮糸よりもテープ形状でスプリットタイプの捲縮糸を低く（短く）設定し、かつ、これらの各捲縮糸を２：８ないし８：２の比率で基布に混植すれば、所望の効果を奏する砂入り人工芝生が得られることを見出した。
【０００９】
したがって、前記目的を達成するために、本発明の請求項１に記載した発明は、第１捲縮糸と、前記第１捲縮糸よりも低い第２捲縮糸とが基布に混植され、前記第１捲縮糸および前記第２捲縮糸間に充填材が充填された砂入り人工芝生において、前記第１捲縮糸がモノフィラメントタイプであるとともに、前記第２捲縮糸がテープ形状のスプリットタイプであり、前記第１捲縮糸と前記第２捲縮糸との比率が２：８ないし８：２であることを特徴としている。
【００１０】
この場合、第１捲縮糸および第２捲縮糸としては、基布における同一のタフト孔に対して混植してもよく、あるいは一方のみを植設してもよい。
一方、所定のタフト孔に第１捲縮糸のみ、あるいは第２捲縮糸のみを植設する場合には、第１捲縮糸および第２捲縮糸が交互に並ぶように植設したり、ランダムに並ぶように植設してもよい。
【００１１】
また、請求項２に記載した発明は、前記第１捲縮糸と前記第２捲縮糸とは互いに捲縮率および捲縮度のうちの少なくとも一方が異なることを特徴としている。この場合、捲縮率とは、捲縮糸を弾性変形させない範囲で直線状に引き延ばした際の最大長に対する自然長の比率（最大長／自然長）であり、例えば第２捲縮糸の捲縮率を第１捲縮糸の捲縮率よりも高く（大きく）設定しておくことが好ましい。また、捲縮度とは、２．５４ｃｍ（１インチ）あたりの捲縮山数のことである。
この請求項２に記載した発明においては、互いに捲縮率あるいは捲縮度が異なる第１捲縮糸および第２捲縮糸により、充填層内部において様々な形状，大きさの空隙が無作為に形成される。したがって、第１捲縮糸および第２捲縮糸が同一の捲縮率あるいは捲縮度を有している場合に比較して、充填層が深層部から固化することを効果的に抑制し、良好な接地感を更に長期間維持できることになる。
【００１２】
さらに、請求項３に記載した発明は、前記第２捲縮糸が前記充填材から突出する高さを有していることを特徴としている。
この請求項３に記載した発明においては、第２捲縮糸の先端が充填材から突出して芝面のボリューム感を増大させるため、外観性が一層向上することになる。また、例えば第１捲縮糸が競技者等に踏まれて倒れても、第２捲縮糸の先端が第１捲縮糸を押し返して起立させるため、施工当初に得られた芝面のボリューム感を維持できることになる。
そして、請求項４に記載した発明においては、前記第１捲縮糸の直径が５０デニールないし１０００デニールであることを特徴としている。すなわち、第１捲縮糸が適度に細いため、外観性とともに肌触りが向上することになる。
【００１３】
さらに、請求項５に記載した発明においては、前記第２捲縮糸の捲縮度が０．５山／２．５４ｃｍないし７山／２．５４ｃｍであることを特徴としている。
この場合、第２捲縮糸は、捲縮度が０．５山／２．５４ｃｍ未満であると、充填層内部に形成した空隙内に容易に充填材が侵入し、かつ、空隙内部に入り込んだ充填材を外部に排出することが難しく、捲縮度が７山／２．５４ｃｍを超えると、当該第２捲縮糸が倒れやすくなる。
したがって、この請求項５に記載した発明においては、これらのような問題が生じないことになる。
【００１４】
【発明の実施の形態】
図１には、本発明に係る一実施例が示されている。本実施例の砂入り人工芝生１０は、例えばテニスコート等の運動競技場を施工するために、基礎地面１１上に打設されたコンクリート製の下地材１２の上に敷設されている。
この砂入り人工芝生１０は、ポリプロピレンにより面状に形成された基布１３に第１捲縮糸２１と、この第１捲縮糸２１よりも低い第２捲縮糸２２が２：８ないし８：２の比率で混植されていて、下地材１２の上に敷設された後、第１捲縮糸２１および第２捲縮糸２２間に目砂等の充填材１４がデッキブラシにより充填され、これにより充填層１５が形成されている。
なお、充填材１４としては、目砂以外に例えばプラスチック粒やゴム粒を採用してもよい。本発明においては、これらのような充填材を用いた人工芝生を含めて砂入り人工芝生と呼ぶ。
【００１５】
第１捲縮糸２１はモノフィラメントタイプであり、直径が５０デニールないし１０００デニールとされている。
一方、第２捲縮糸２２は、図２に示すように、テープ形状のパイルに切り込み（スプリット）２２Ａが多数形成されたスプリットタイプとされている。これらの切り込み２２Ａは、第２捲縮糸２２の厚み方向に貫通するとともに、第２捲縮糸２２の長手方向に連続するように不規則に形成されている。したがって、第２捲縮糸２２は、捲縮に伴って切り込み２２Ａに挟まれた部分が円弧面状に湾曲する突出部２２Ｂとなり（図２（Ｂ）参照）、当該第２捲縮糸２２と突出部２２Ｂとの間に空隙２３を形成するようになっている。
【００１６】
このような第２捲縮糸２２は、例えば先端が充填層１５から突出する高さ（長さ）を有するとともに、０．５山／２．５４ｃｍないし７山／２．５４ｃｍの捲縮度を有している。
そして、第２捲縮糸２２の捲縮度は、基布１３に植設されたすべての第２捲縮糸２２の平均値が０．５山／２．５４ｃｍないし７山／２．５４ｃｍであればよく、あるいは無作為に抽出した複数本の第２捲縮糸２２の平均値が０．５山／２．５４ｃｍないし７山／２．５４ｃｍであってもよい。
【００１７】
これらの第１捲縮糸２１および第２捲縮糸２２は、ニットデニット製法あるいはジェット製法等による捲縮加工が施されている。
そして、これらの第１捲縮糸２１および第２捲縮糸２２は、基布１３に形成されたタフト孔に対して複数本づつ撚り合わせられた状態で植設されている（図１参照）。
【００１８】
なお、第１捲縮糸２１および第２捲縮糸２２を基布１３に混植するにあたっては、特定のタフト孔に対して第１捲縮糸２１あるいは第２捲縮糸２２のみを複数本づつ植設してもよい。この場合、第１捲縮糸２１および第２捲縮糸２２が交互に並ぶように植設したり、ランダムに並ぶように植設してもよく、一定面積内に第１捲縮糸２１および第２捲縮糸２２が２：８ないし８：２の比率で混植されていればよい。
【００１９】
以上のような本実施例の砂入り人工芝生１０によれば、第１捲縮糸２１と、第１捲縮糸２１よりも低い第２捲縮糸２２とが基布１３に混植され、かつ、第１捲縮糸２１および第２捲縮糸２２間に充填材１４が充填されているため、比較的天然芝生に近似した外観性が得られるとともに、施工当初に得られた良好な接地感を長期間維持でき、従来の砂入り人工芝生と同様な効果を奏することができる。
【００２０】
一方、本実施例の砂入り人工芝生１０によれば、第２捲縮糸２２がテープ形状のスプリットタイプであるため、切り込み（スプリット）２２Ａに挟まれた部分が充填層１５の内部において充填材１４を侵入させにくい微細な空隙を形成し、かつ、空隙内部に入り込んだ充填材１４を屈曲スプリング挙動に伴って外部に排出する。
したがって、本実施例の砂入り人工芝生１０によれば、施工当初に得られた良好な接地感を従来の砂入り人工芝生よりも長期間維持できる。
【００２１】
また、本実施例の砂入り人工芝生１０によれば、第１捲縮糸２１がモノフィラメントタイプであるため、良好な風合いを有する芝先端部が芝面の最上部を構成する。したがって、芝面の最上部において、芝先端部が無作為な方向を向くとともに、互いに異なる高さに位置することになり、同一形態のパイルを均一、かつ、高密度に植設した従来の砂入り人工芝生に比較して、一層天然芝生に近似し、観者に軟らかい印象を与える優れた外観性が得られる。
そして、本実施例では、これらの第１捲縮糸２１および第２捲縮糸２２が２：８ないし８：２の比率で基布１３に混植されているため、前述した接地感の維持および優れた外観性の獲得が高次元で両立する。
【００２２】
また、第１捲縮糸２１および第２捲縮糸２２の捲縮率あるいは捲縮度が互いに異なるように形成しておけば、充填層１５の内部において様々な形状，大きさの空隙が無作為に形成されることになり、第１捲縮糸２１および第２捲縮糸２２が同一の捲縮率を有している場合に比較して、充填層の固化を効果的に抑制できる。
さらに、第２捲縮糸２２の長さを充填層１５から突出するように設定しておくことにより、第２捲縮糸２２が充填層１５から突出しない場合に比較して、芝面のボリューム感が増大するとともに、競技者等に踏まれて倒れた第１捲縮糸２１を押し返して起立させるため、施工当初に得られた芝面のボリューム感を維持できる。
【００２３】
そして、第１捲縮糸２１を５０デニールないし１０００デニールという適度に細い直径に設定することにより、外観性とともに良好な肌触りが得られる。
また、第２捲縮糸２２は、捲縮度が０．５山／２．５４ｃｍないし７山／２．５４ｃｍとすることにより、充填層１５の内部に形成した空隙内に容易に充填材１４が侵入したり、あるいは空隙内部に侵入した充填材１４が残留しないとともに、充填層１５上において容易に倒れることがない。
【００２４】
【実施例】
次に、第１捲縮糸２１および第２捲縮糸２２の高さ（長さ），捲縮率（最大長／自然長），捲縮度（山数／２．５４ｃｍ），比率および充填材の充填高さを変えて実際に砂入り人工芝生１０を施工し、接地感の変化および外観性の変化を測定，調査し、これらに基づいて評価したので、表１に基づいて説明した後、表２に基づいて比較例を説明する。
【００２５】
【表１】
0003650467.tif 000002
【００２６】
【表２】
0003650467.tif 000003
【００２７】
なお、接地感の変化としては、砂入り人工芝生１０の施工にあたって、パイル間に充填材１４をブラシにより充填した直後に測定したＧｍａｘを使用前Ｇｍａｘとして表示し、その後、所定の締め固め機により芝面を１００００回圧縮した後に測定したＧｍａｘを使用後Ｇｍａｘとして表示した。すなわち、接地感の評価は使用前Ｇｍａｘの値が小さいものほど良好であり、かつ、使用前Ｇｍａｘの値と使用後Ｇｍａｘの値との差が小さいものほど良好であるとした。
また、外観性の変化としては、前述した使用前Ｇｍａｘ測定時および使用後Ｇｍａｘ測定時に芝面状況を複数の屋外競技者が観察し、使用前外観性および使用後外観性を天然芝生の外観性に近似していることを基準として、◎‥極めて良好，○‥良好，△‥可とする３段階に評価して変化を示した。
【００２８】
さらに、耐久性としては、パイルの倒れにくさを前述した複数の屋外競技者が◎‥極めて良好，○‥良好，△‥可とする３段階に評価した。
そして、各実施例および各比較例において複数種類のパイルを用いる場合には、基布１３に対して５／３２ゲージ，３ステッチで交互にタフトし、各比較例において単一種類のパイルを用いた場合には、基布１３に対して５／３２ゲージ，３ステッチでタフトした。
【００２９】
（実施例１）
高さ２０．１ｍｍ，捲縮率３．５１，捲縮度３．４８山／２．５４ｃｍのモノフィラメントタイプの第１捲縮糸２１と、高さ１５．１ｍｍ，捲縮率３．４８，捲縮度３．５０山／２．５４ｃｍのテープ形状でスプリットタイプの第２捲縮糸２２とを基布１３に対して２０．５：７９．５の比率で混植した。これらの第１捲縮糸２１および第２捲縮糸２２間に充填材１４を１６．２ｍｍの高さまで充填した結果、使用前Ｇｍａｘが７９，使用後Ｇｍａｘが８２，使用前外観性および使用後外観性が◎〜○評価，耐久性が○評価となった。
【００３０】
（実施例２）
高さ２０．２ｍｍ，捲縮率３．６０，捲縮度３．４６山／２．５４ｃｍのモノフィラメントタイプの第１捲縮糸２１と、高さ１５．３ｍｍ，捲縮率３．６２，捲縮度３．４７山／２．５４ｃｍのテープ形状でスプリットタイプの第２捲縮糸２２とを基布１３に対して７９．２：２０．８の比率で混植した。これらの第１捲縮糸２１および第２捲縮糸２２間に充填材１４を１６．４ｍｍの高さまで充填した結果、使用前Ｇｍａｘが８０，使用後Ｇｍａｘが８４，使用前外観性および使用後外観性が◎〜○評価，耐久性が○評価となった。
【００３１】
（実施例３）
高さ２０．１ｍｍ，捲縮率３．７０，捲縮度３．４８山／２．５４ｃｍのモノフィラメントタイプの第１捲縮糸２１と、高さ１２．３ｍｍ，捲縮率３．７０，捲縮度３．４８山／２．５４ｃｍのテープ形状でスプリットタイプの第２捲縮糸２２とを基布１３に対して５０．０：５０．０の比率で混植した。これらの第１捲縮糸２１および第２捲縮糸２２間に充填材１４を１６．０ｍｍの高さまで充填した結果、使用前Ｇｍａｘが８０，使用後Ｇｍａｘが８２，使用前外観性が◎〜○評価，使用後外観性および耐久性が○評価となった。
【００３２】
（実施例４）
高さ２０．１ｍｍ，捲縮率２．５０，捲縮度３．４９山／２．５４ｃｍのモノフィラメントタイプの第１捲縮糸２１と、高さ１２．３ｍｍ，捲縮率３．８１，捲縮度３．５０山／２．５４ｃｍのテープ形状でスプリットタイプの第２捲縮糸２２とを基布１３に対して５０．０：５０．０の比率で混植した。これらの第１捲縮糸２１および第２捲縮糸２２間に充填材１４を１６．０ｍｍの高さまで充填した結果、使用前Ｇｍａｘが８０，使用後Ｇｍａｘが８１，使用前外観性，使用後外観性および耐久性が◎〜○評価となった。
【００３３】
（実施例５）
高さ２０．０ｍｍ，捲縮率３．８０，捲縮度３．４５山／２．５４ｃｍのモノフィラメントタイプの第１捲縮糸２１と、高さ１４．３ｍｍ，捲縮率２．５５，捲縮度３．４７山／２．５４ｃｍのテープ形状でスプリットタイプの第２捲縮糸２２とを基布１３に対して５０．０：５０．０の比率で混植した。これらの第１捲縮糸２１および第２捲縮糸２２間に充填材１４を１６．１ｍｍの高さまで充填した結果、使用前Ｇｍａｘが８０，使用後Ｇｍａｘが８１，使用前外観性，使用後外観性および耐久性が◎〜○評価となった。
【００３４】
（実施例６）
高さ２０．１ｍｍ，捲縮率３．７０，捲縮度３．４８山／２．５４ｃｍのモノフィラメントタイプの第１捲縮糸２１と、高さ１４．４ｍｍ，捲縮率３．７０，捲縮度３．５０山／２．５４ｃｍのテープ形状でスプリットタイプの第２捲縮糸２２とを基布１３に対して５０．０：５０．０の比率で混植した。これらの第１捲縮糸２１および第２捲縮糸２２間に充填材１４を１４．０ｍｍの高さまで充填した結果、使用前Ｇｍａｘおよび使用後Ｇｍａｘが８１，使用前外観性が◎〜○評価，使用後外観性および耐久性が◎評価となった。
【００３５】
（実施例７）
高さ２０．２ｍｍ，捲縮率２．５０，捲縮度３．４５山／２．５４ｃｍのモノフィラメントタイプの第１捲縮糸２１と、高さ１５．０ｍｍ，捲縮率３．８８，捲縮度３．４７山／２．５４ｃｍのテープ形状でスプリットタイプの第２捲縮糸２２とを基布１３に対して５０．０：５０．０の比率で混植した。これらの第１捲縮糸２１および第２捲縮糸２２間に充填材１４を１４．０ｍｍの高さまで充填した結果、使用前Ｇｍａｘおよび使用後Ｇｍａｘが７９，使用前外観性，使用後外観性および耐久性が◎評価となった。
【００３６】
（実施例８）
高さ２０．１ｍｍ，捲縮率３．７０，捲縮度２．０１山／２．５４ｃｍのモノフィラメントタイプの第１捲縮糸２１と、高さ１２．３ｍｍ，捲縮率３．７１，捲縮度５．００山／２．５４ｃｍのテープ形状でスプリットタイプの第２捲縮糸２２とを基布１３に対して５０．０：５０．０の比率で混植した。これらの第１捲縮糸２１および第２捲縮糸２２間に充填材１４を１６．０ｍｍの高さまで充填した結果、使用前Ｇｍａｘおよび使用後Ｇｍａｘが８０，使用前外観性，使用後外観性および耐久性が◎評価となった。
【００３７】
（比較例１）
高さ２０．０ｍｍのテープ形状でスプリットタイプのストレート糸のみを基布１３に植設した。このストレート糸間に充填材１４を１８．０ｍｍの高さまで充填した結果、使用前Ｇｍａｘが８５，使用後Ｇｍａｘが９２，使用前外観性，使用後外観性および耐久性が△評価となった。
【００３８】
（比較例２）
高さ２０．０ｍｍのモノフィラメントタイプのストレート糸のみを基布１３に植設した。このストレート糸間に充填材１４を１８．２ｍｍの高さまで充填した結果、使用前Ｇｍａｘが８７，使用後Ｇｍａｘが９５，使用前外観性が○評価，使用後外観性および耐久性が△評価となった。
【００３９】
（比較例３）
高さ２０．０ｍｍ，捲縮率３．５０，捲縮度３．５０山／２．５４ｃｍのテープ形状でスプリットタイプの捲縮糸のみを基布１３に植設した。この捲縮糸間に充填材１４を１８．４ｍｍの高さまで充填した結果、使用前Ｇｍａｘが８０，使用後Ｇｍａｘが８６，使用前外観性が○〜△評価，使用後外観性および耐久性が△評価となった。
【００４０】
（比較例４）
高さ２０．０ｍｍ，捲縮率３．７０，捲縮度３．４８山／２．５４ｃｍのモノフィラメントタイプの捲縮糸のみを基布１３に植設した。この捲縮糸間に充填材１４を１８．６ｍｍの高さまで充填した結果、使用前Ｇｍａｘが８４，使用後Ｇｍａｘが９２，使用前外観性が○評価，使用後外観性および耐久性が△評価となった。
【００４１】
（比較例５）
高さ２０．０ｍｍ，捲縮率３．４０，捲縮度３．４８山／２．５４ｃｍのテープ形状でスプリットタイプの捲縮糸と、高さ１５．１ｍｍ，捲縮率４．５０，捲縮度３．４６山／２．５４ｃｍのモノフィラメントタイプの捲縮糸とを基布１３に対して５０．０：５０．０の比率で混植した。これらの捲縮糸間に充填材１４を１８．８ｍｍの高さまで充填した結果、使用前Ｇｍａｘが７８，使用後Ｇｍａｘが８４，使用前外観性，使用後外観性および耐久性が△評価となった。
【００４２】
（比較例６）
高さ２０．０ｍｍ，捲縮率３．５０，捲縮度３．４８山／２．５４ｃｍのモノフィラメントタイプの捲縮糸と、高さ１５．３ｍｍ，捲縮率４．３０，捲縮度３．４７山／２．５４ｃｍのテープ形状でスプリットタイプの捲縮糸とを基布１３に対して１９．５：８０．５の比率で混植した。これらの捲縮糸間に充填材１４を１７．５ｍｍの高さまで充填した結果、使用前Ｇｍａｘが７８，使用後Ｇｍａｘが８４，使用前外観性が○〜△評価，使用後外観性および耐久性が△評価となった。
【００４３】
（比較例７）
高さ２０．０ｍｍ，捲縮率３．６０，捲縮度３．５０山／２．５４ｃｍのモノフィラメントタイプの捲縮糸と、高さ１５．２ｍｍ，捲縮率４．２０，捲縮度３．４８山／２．５４ｃｍのテープ形状でスプリットタイプの捲縮糸とを基布１３に対して８０．５：１９．５の比率で混植した。これらの捲縮糸間に充填材１４を１７．７ｍｍの高さまで充填した結果、使用前Ｇｍａｘが８１，使用後Ｇｍａｘが８７，使用前外観性が○評価，使用後外観性が○〜△評価，耐久性が△評価となった。
【００４４】
以上の評価から、各実施例が各比較例に比較して、良好な接地感および優れた外観性が高次元で得られ、かつ、これらの接地感および外観性を長期間維持できることが判る。
特に、実施例１ないし実施例３と比較例６および比較例７とを比較すると、実施例１ないし実施例３は、第１捲縮糸２１および第２捲縮糸２２の比率が２：８ないし８：２であるため、接地感の変化が少なくなり、かつ、外観性，耐久性が格段に向上することが判る。
【００４５】
また、実施例４および実施例５は、第１捲縮糸２１および第２捲縮糸２２の捲縮率が明らかに異なるため、実施例１ないし実施例３に比較して、接地感の変化が少なくなるとともに、耐久性が向上することが判る。
そして、実施例６および実施例７は、第２捲縮糸２２が充填層１５から突出する長さを有しているため、他の実施例に比較して、接地感の変化がほとんどなくなり、かつ、外観性，耐久性が一層向上することが判る。
【００４６】
なお、本発明は前述した実施例に限定されるものではなく、本発明を達成できる範囲での改良，変形等は本発明に含まれるものである。
例えば、前述した実施例においては、基布に形成されたタフト孔に第１捲縮糸および第２捲縮糸を複数本づつ撚り合わせた状態で混植されていたが、
タフト孔に対して任意本数の第１捲縮糸のみ、あるいは第２捲縮糸のみを植設してもよく、一定面積内に第１捲縮糸および第２捲縮糸が２：８ないし８：２の比率で混植されていればよい。
また、タフト孔に対して第１捲縮糸のみ、あるいは第２捲縮糸のみを植設する場合には、第１捲縮糸および第２捲縮糸が交互に並ぶように植設したり、ランダムに並ぶように植設してもよい。
【００４７】
さらに、本発明は、テニスコートの施工に採用される砂入り人工芝生だけではなく、ゲートボールコート，サッカーグラウンド，ラグビーグラウンド等の施工にも適用可能である。
その他、前記実施例で示した第１捲縮糸，第２捲縮糸，基布，充填材の材質，形状，寸法，形態，数，配置個所等は本発明を達成できるものであれば任意であり、限定されない。
【００４８】
【発明の効果】
本発明の請求項１に記載した発明によれば、従来に比較して、一層天然芝生に近似し、観者に軟らかい印象を与える外観性が得られるとともに、この外観性と施工当初に得られた良好な接地感とを長期間にわたって維持できる。
また、請求項２に記載した発明によれば、充填層の内部に様々な形状，大きさの空隙を無作為に形成することにより、充填層の固化を効果的に抑制できる。
一方、請求項３に記載した発明によれば、芝面のボリューム感が増大するとともに、競技者等に踏まれて倒れた第１捲縮糸を押し返すことにより、芝面のボリューム感を維持できる。
【００４９】
さらに、請求項４に記載した発明によれば、第１捲縮糸が適度に細いため、外観性とともに良好な肌触りが得られる。
そして、請求項５に記載した発明によれば、充填層内部に形成した空隙内に容易に充填材が侵入したり、あるいは空隙内部に侵入した充填材が残留しないとともに、第２捲縮糸が容易に倒れない。
【図面の簡単な説明】
【図１】本発明の一実施例を示す断面図である。
【図２】本発明の第２捲縮糸を示す正面図および側面図である。
【符号の説明】
１０  砂入り人工芝生
１３  基布
１４  充填材
２１  第１捲縮糸
２２  第２捲縮糸
【図１】
0003650467.tif 000004
【図２】
0003650467.tif 000005